(57)【要約】【課題】フレキシブルフラットケーブルが筐体内に当接しないように、筐体内には、湾曲形状が形成されるための空間を確保しなくてはならない。そのため、イメージスキャナーのキャリッジの移動方向の外形寸法が長くなってしまうという課題がある。【解決手段】信号ケーブルであって、絶縁体で被覆された複数の導線を有し、キャリッジ９の往復移動に伴って、湾曲部の湾曲形状が変化するフレキシブルフラットケーブル１４と、フレキシブルフラットケーブル１４をキャリッジ９に固定する固定部１３と、を備え、フレキシブルフラットケーブル１４が固定部１３から突き出す位置Ｍ１における導線の線方向が、キャリッジ９の移動方向Ｄ１と交わる方向となるように、固定部１３によってフレキシブルフラットケーブル１４を固定する。【選択図】図３
2012088471.tif 000002
【特許請求の範囲】
【請求項１】
原稿台を支持する筐体と、
前記筐体の内部を前記原稿台の盤面と平行に往復移動するキャリッジと、
前記キャリッジに搭載され、前記原稿台に載置された原稿からの反射光を出力信号に変換するイメージセンサーを有する画像読取部と、
前記画像読取部からの前記出力信号を画像データに変換処理するデータ処理部と、
一端が前記画像読取部と電気的に接続され、他端が前記データ処理部と電気的に接続され、前記筐体の内部で折り返し部が形成される信号ケーブルと、
前記キャリッジに設けられ、前記信号ケーブルを前記キャリッジに固定する固定部と、を備え、
前記信号ケーブルが前記固定部から突き出す位置から延びる方向が、前記キャリッジの移動方向と交わる方向となるように、前記固定部によって前記信号ケーブルを固定することを特徴とする画像読取装置。
【請求項２】
請求項１に記載の画像読取装置であって、
前記キャリッジの移動方向と交わる方向は、鉛直方向であることを特徴とする画像読取装置。
【請求項３】
請求項１に記載の画像読取装置であって、
前記キャリッジの移動方向と交わる方向は、水平方向であることを特徴とする画像読取装置。
【請求項４】
請求項２に記載の画像読取装置であって、
前記信号ケーブルを前記画像読取部と接続するための配線コード導出部を備え、
前記固定部によって前記信号ケーブルが固定される位置は、前記鉛直方向において、前記配線コード導出部の位置より前記原稿台側にあることを特徴とする画像読取装置。
【請求項５】
画像を記録媒体に形成する画像形成装置と、
請求項１から請求項４のいずれか一項に記載の画像読取装置と、を備えた複合機。
【発明の詳細な説明】
【技術分野】
【０００１】
本発明は、画像読取装置、複合機に関する。
【背景技術】
【０００２】
イメージセンサーを搭載したキャリッジを原稿台の盤面と平行に往復移動することにより、原稿台に置かれた原稿から画像を読み取るキャリッジ移動型の画像読取装置がよく知られている。このような画像読取装置としてのイメージスキャナーには、原稿から画像を読み取るための画像読取部と、画像読取部から出力された信号を画像データに変換するデータ処理部が備えられる。
画像読取部と、データ処理部とは、平板状の信号ケーブルであるフレキシブルフラットケーブルによって電気的に接続される。画像読取部は、往復移動するキャリッジに搭載され、データ処理部は、筐体に固定された回路基板で構成される。フレキシブルフラットケーブルの一端が、往復移動するキャリッジに固定され、フレキシブルフラットケーブルの他端が、筐体に固定された回路基板に固定される。
フレキシブルフラットケーブルは、キャリッジの移動方向に折り返された状態で備えられる。そのため、キャリッジの移動に伴って、フレキシブルフラットケーブルの一部を巻き込んでしまうことがある。フレキシブルフラットケーブルの一部が巻き込まれてしまうと、キャリッジがフレキシブルフラットケーブルに当接し、キャリッジの移動ができなくなってしまう。
そこで、例えば、特許文献１では、フレキシブルフラットケーブルを巻き取る巻き取り胴を備えた走査装置が提案されている。しかしながら、特許文献１の方法では、フレキシブルフラットケーブルを巻き取るための機構を備えなくてはならないという問題がある。
【先行技術文献】
【特許文献】
【０００３】
【特許文献１】特開平５−１９７０３１号公報
【発明の概要】
【発明が解決しようとする課題】
【０００４】
フレキシブルフラットケーブルが折り返された状態では、キャリッジの移動方向においてフレキシブルフラットケーブルが湾曲した湾曲部が形成され、キャリッジの往復移動に伴って、湾曲部における湾曲形状が変化する。キャリッジの移動範囲において、キャリッジの位置が、回路基板から最も遠い位置にあるときも、フレキシブルフラットケーブルの湾曲部が形成されている。そのため、フレキシブルフラットケーブルの湾曲部が筐体の内側に当接しないように、筐体内には、湾曲部を収容するための空間領域を確保しなくてはならない。そのため、イメージスキャナーのキャリッジの移動方向の外形寸法が長くなってしまうという課題がある。
【課題を解決するための手段】
【０００５】
本発明は、上述の課題の少なくとも一部を解決するためになされたものであり、以下の形態または適用例として実現することが可能である。
【０００６】
［適用例１］原稿台を支持する筐体と、前記筐体の内部を前記原稿台の盤面と平行に往復移動するキャリッジと、前記キャリッジに搭載され、前記原稿台に載置された原稿からの反射光を出力信号に変換するイメージセンサーを有する画像読取部と、前記画像読取部からの前記出力信号を画像データに変換処理するデータ処理部と、一端が前記画像読取部と電気的に接続され、他端が前記データ処理部と電気的に接続され、前記筐体の内部で折り返し部が形成される信号ケーブルと、前記キャリッジに設けられ、前記信号ケーブルを前記キャリッジに固定する固定部と、を備え、前記信号ケーブルが前記固定部から突き出す位置から延びる方向が、前記キャリッジの移動方向と交わる方向となるように、前記固定部によって前記信号ケーブルを固定することを特徴とする画像読取装置。
【０００７】
この構成によれば、信号ケーブルが固定部から突き出す位置から延びる方向が、キャリッジの移動方向と交わる方向となるように、固定部によって信号ケーブルを固定する。そのため、キャリッジの移動範囲において、キャリッジがデータ処理部から最も遠い位置にあるとき、信号ケーブルの湾曲部における曲率半径を長くすることができる。これにより、キャリッジの移動方向における湾曲部において、固定部からデータ処理部と反対側に伸びる長さを短くすることができる。従って、筐体内部に、信号ケーブルの湾曲部を収容するための空間領域におけるキャリッジの移動方向の長さを小さくすることができる。そのため、画像読取装置のキャリッジの移動方向の外形寸法を小さくできる。
【０００８】
［適用例２］前記キャリッジの移動方向と交わる方向は、鉛直方向であることを特徴とする上記画像読取装置。
【０００９】
この構成によれば、信号ケーブルは、キャリッジの移動方向において、固定部からデータ処理部と反対側となる筐体側に向かって突出しない。これにより、固定部から筐体側に向かって確保する空間領域におけるキャリッジの移動方向の長さを小さくできる。そのため、画像読取装置のキャリッジの移動方向の外形寸法が長くなってしまうことを抑制できる。
【００１０】
［適用例３］前記キャリッジの移動方向と交わる方向は、水平方向であることを特徴とする上記画像読取装置。
【００１１】
この構成によれば、信号ケーブルは、キャリッジの移動方向において、固定部からデータ処理部と反対側となる筐体側に向かって突出しない。これにより、固定部から筐体側に向かって確保する空間領域におけるキャリッジの移動方向の長さを小さくできる。そのため、画像読取装置のキャリッジの移動方向の外形寸法が長くなってしまうことを抑制できる。
【００１２】
［適用例４］前記信号ケーブルを前記画像読取部と接続するための配線コード導出部を備え、前記固定部によって前記信号ケーブルが固定される位置は、前記鉛直方向において、前記配線コード導出部の位置より前記原稿台側にあることを特徴とする上記画像読取装置。
【００１３】
この構成によれば、信号ケーブルの湾曲部における曲率半径をさらに長くすることができる。
【００１４】
［適用例５］画像を記録媒体に形成する画像形成装置と、上記画像読取装置と、を備えた複合機。
【図面の簡単な説明】
【００１５】
【図１】イメージスキャナーの概略構成を示す模式図。
【図２】フレキシブルフラットケーブルを示す図。
【図３】（ａ）は、キャリッジに設けられた固定部の外観斜視図、（ｂ）は、固定部によって固定されたフレキシブルフラットケーブルを示す外観斜視図。
【図４】（ａ）は、第１実施形態におけるフレキシブルフラットケーブルの湾曲形状を示す図、（ｂ）は、比較例におけるフレキシブルフラットケーブルの湾曲部の湾曲形状を示す図。
【図５】（ａ）は、比較例における固定部の外観斜視図、（ｂ）は、比較例における固定部によって固定されたフレキシブルフラットケーブルを示す外観斜視図。
【図６】（ａ）は、キャリッジに設けられた固定部の外観斜視図、（ｂ）は、固定部によって固定されたフレキシブルフラットケーブルを示す外観斜視図。
【図７】第２実施形態におけるフレキシブルフラットケーブルの湾曲部の湾曲形状と、第１実施形態におけるフレキシブルフラットケーブルの湾曲部の湾曲形状とを比較して説明するための図。
【図８】（ａ）は、水平面において、フレキシブルフラットケーブルが副走査方向に湾曲する構成を備えたイメージスキャナーの外観斜視図、（ｂ）は、フレキシブルフラットケーブルが固定部から主走査方向に突き出していることを示す模式図。
【図９】複合機の概略構成を示す模式図。
【発明を実施するための形態】
【００１６】
（第１実施形態）
以下、第１実施形態について図面を参照しつつ説明する。図１は、画像読取装置としてのイメージスキャナー１の概略構成を示す模式図で、主走査方向Ｄ２から見た図である。イメージスキャナー１は、フラットベットタイプのイメージスキャナーである。
【００１７】
透明なガラス板である原稿台４が、筐体２に支持されて筐体２の開口部３に設けられる。開口部３は、ヒンジ（不図示）によって回動可能な原稿カバー５によって覆われた状態となったり、開放された状態になったりする。
【００１８】
キャリッジ９は、筐体２の内部に設けられたガイド部１０に案内されて、副走査方向Ｄ１に往復移動する。副走査方向Ｄ１は、キャリッジ９の移動方向Ｄ１である。
【００１９】
キャリッジ９には、光学ユニット８が備えられる。光学ユニット８は、不図示の光源と集光部とから構成される。光源は、例えば、主走査方向Ｄ２に並ぶ複数のＬＥＤ（Ｌｉｇｈｔ  Ｅｍｉｔｔｉｎｇ  Ｄｉｏｄｅ）と導光板（Ｌｉｇｈｔ  Ｇｕｉｄｅ）とを含んで構成され、集光部は、ＬＥＤに対応して並ぶ複数のレンズから構成される。主走査方向Ｄ２は、キャリッジ９の移動方向Ｄ１と交わる方向Ｄ２である。
【００２０】
キャリッジ９には、イメージセンサー７が備えられる。イメージセンサー７は、複数の受光素子としてのＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）が主走査方向Ｄ２に並んで構成される。
【００２１】
回路基板１２には、光学ユニット８を構成するＬＥＤを駆動するための駆動回路（不図示）や、イメージセンサー７を駆動するための駆動回路（不図示）が設けられる。回路基板１２には、配線コード導出部としてのコネクター１１が設けられる。イメージセンサー７を回路基板１２に実装する構成でもよい。
【００２２】
画像読取部６は、光学ユニット８、イメージセンサー７、回路基板１２、コネクター１１を含んで構成される。画像読取部６は、キャリッジ９の副走査方向Ｄ１の移動に伴って、光学ユニット８の光源によって原稿台４に載置された原稿Ｓに光を照射し、原稿Ｓからの反射光をイメージセンサー７によって受光する。イメージセンサー７からは、アナログ信号が出力される。
【００２３】
このように、画像読取部６は、キャリッジ９の副走査方向Ｄ１の移動に伴って、原稿Ｓに照射し、原稿Ｓからの反射光を受光し、アナログ信号に変換することができる。
【００２４】
データ処理部１５は、画像読取部６から出力された出力信号としてのアナログ信号をデジタルデータに変換し、ガンマ補正やシェーディング補正などを行い、画像データに変換する。データ処理部１５は、筐体２の内部の底面に固定して備えられる。データ処理部１５には、コネクター１６が備えられる。
【００２５】
図２は、フレキシブルフラットケーブル１４を示す図である。フレキシブルフラットケーブル（以降、ＦＦＣと称する）１４は、副走査方向Ｄ１に伸びる複数の導線１４ｃが主走査方向Ｄ２に並んで構成される。
【００２６】
破線で示す導線１４ｃは、樹脂などの絶縁体１４ｄで被覆されていることを示す。露出部１４ａ，１４ｂは、ＦＦＣ１４の一端と他端を示し、露出部１４ａ，１４ｂにおける実線で示す導線１４ｃは、絶縁体１４ｄで一方の面が被覆され、他方の面が露出している。
【００２７】
図１のコネクター１１に図２のＦＦＣ１４の一端である露出部１４ａを挿入し、図１のコネクター１６に図２のＦＦＣ１４の他方の一端である露出部１４ｂを挿入し、画像読取部６とデータ処理部１５とが電気的に接続される。
【００２８】
本実施形態では、導出部としてのコネクター１１を用いたが、導出部は、ＦＦＣ１４をハンダ付けにより画像読取部６と接続する構成としてもよい。
【００２９】
本実施形態では、図１のデータ処理部１５は、筐体２の内側底部の図面右側に備えられているが、筐体２の内側底部の図面右側に貫通孔（不図示）を設け、ＦＦＣ１４をこの貫通孔を通して筐体２の外部に備えられたデータ処理部１５と接続するようにしてもよい。
【００３０】
図１のＦＦＣ１４には、鉛直方向Ｄ３の鉛直面における副走査方向Ｄ１の範囲Ａには、折り返し部が形成されている。折り返し部には、湾曲形状が形成されている。キャリッジ９の副走査方向Ｄ１の移動に伴って、範囲Ａは変化し、湾曲形状が変化する。
【００３１】
ＦＦＣ１４は、湾曲形状が変化しても導通性が確保できる可撓性を有している。そのため、折り返し部が形成されるように、ＦＦＣ１４を備えることにより、キャリッジ９の副走査方向Ｄ１における往復移動が繰り返されても、ＦＦＣ１４が損傷することを抑制できる。
【００３２】
折り返し部は、ＦＦＣ１４の一方が固定部１３に固定され、ＦＦＣ１４の他方が筐体２の底部に接する。本実施形態のＦＦＣ１４は、固定部１３からキャリッジ９の移動方向Ｄ１と交わる方向である鉛直方向Ｄ３に突き出すように固定される。
【００３３】
鉛直方向Ｄ３に突き出すように固定されたＦＦＣ１４は、固定部１３から副走査方向Ｄ１における図面左側に向かって伸び、筐体２内部の図面左側で方向を変えて副走査方向Ｄ１における図面右側に折り返すように備えられる。
【００３４】
図３（ａ）は、キャリッジ９に設けられた固定部１３の外観斜視図である。キャリッジ９には、水平面５１ａを有する当接部５１、当接部５１と副走査方向Ｄ１における隙間Ｂ１が設けられた押さえ部５０ａ，５０ｂが備えられる。
【００３５】
キャリッジ９には、開口部５２が形成され、開口部５２は、キャリッジ９の鉛直方向Ｄ３における図面下側に貫通する貫通孔（不図示）と直結している。
【００３６】
本実施形態における固定部１３は、当接部５１、水平面５１ａ、押さえ部５０ａ，５０ｂ、開口部５２を含んで構成される。
【００３７】
図３（ｂ）は、固定部１３によって固定されたＦＦＣ１４を示す外観斜視図である。ＦＦＣ１４の一部は、当接部５１と押さえ部５０ａ，５０ｂとの隙間Ｂ１に挟まれるようにして固定される。
【００３８】
水平面５１ａに当接したＦＦＣ１４は、キャリッジ９に形成された開口部５２内に水平方向に挿入され、開口部５２と直結する貫通孔を鉛直方向Ｄ３に通過し、キャリッジ９の鉛直方向Ｄ３における下側を回りこむようにして備えられ、キャリッジ９の当接部５１とは反対側に備えられたコネクター１１に接続される。
【００３９】
矢印Ｍ１は、固定部１３からＦＦＣ１４が鉛直方向Ｄ３に突き出す位置を示す。このＦＦＣ１４が固定部１３から突き出す位置Ｍ１においては、ＦＦＣ１４を構成する導線１４ｃ（図２参照）の線方向は鉛直方向Ｄ３である。
【００４０】
図４（ａ）は、本実施形態における主走査方向Ｄ２から見たＦＦＣ１４の湾曲部Ｗ１の湾曲形状を示す図である。図４（ａ）に示すキャリッジ９は、副走査方向Ｄ１におけるキャリッジ９の移動可能な範囲において、データ処理部１５から最も離れた位置にある。
【００４１】
図４（ａ）の矢印ａ１〜ａ３は、ＦＦＣ１４の導線１４ｃ（図２参照）の線方向を示す。固定部１３から、鉛直方向Ｄ３である線方向ａ１に突き出したＦＦＣ１４は、湾曲部Ｗ１の湾曲形状に沿って線方向ａ２に向きを変え、副走査方向Ｄ１である線方向ａ３に向くようにして筐体２の底部に接して備えられる。
【００４２】
（比較例）
図５（ａ）は、比較例における固定部２０の外観斜視図である。キャリッジ９には、水平面６１ａを有する当接部６１、当接部６１と鉛直方向Ｄ３における隙間Ｂ２が設けられた押さえ部６０ａ，６０ｂが備えられる。
【００４３】
図５（ｂ）は、比較例における固定部２０によって固定されたＦＦＣ１４を示す外観斜視図である。水平面６１ａに当接したＦＦＣ１４は、キャリッジ９に形成された開口部５２内に水平方向に挿入され、開口部５２と直結する貫通孔（不図示）を鉛直方向Ｄ３に通過し、キャリッジ９の鉛直方向Ｄ３における下側を回りこむようにして備えられ、キャリッジ９の当接部６１とは反対側に備えられたコネクター１１に接続される。
【００４４】
矢印Ｍ２は、固定部２０からＦＦＣ１４が副走査方向Ｄ１に突き出す位置を示す。このＦＦＣ１４が固定部２０から突き出す位置Ｍ２においては、ＦＦＣ１４を構成する導線１４ｃの線方向は副走査方向Ｄ１である。
【００４５】
図４（ｂ）は、比較例における主走査方向Ｄ２から見たＦＦＣ１４の湾曲部Ｗ２の湾曲形状を示す図である。図４（ｂ）に示すキャリッジ９は、副走査方向Ｄ１におけるキャリッジ９の移動可能な範囲において、データ処理部１５から最も離れた位置にある。
【００４６】
図４（ｂ）の矢印ｂ１〜ｂ５は、ＦＦＣ１４の導線１４ｃの線方向を示す。キャリッジ９に備えられた固定部２０から、副走査方向Ｄ１である線方向ｂ１に突き出したＦＦＣ１４は、湾曲部Ｗ２の湾曲形状に沿って線方向ｂ２、ｂ３、ｂ４に向きを変え、副走査方向Ｄ１である線方向ｂ５に向くようにして筐体２の底部に接して備えられる。
【００４７】
このように、図４（ａ）の本実施形態のＦＦＣ１４における導線１４ｃの線方向において、固定部１３から突き出す位置Ｍ１から筐体２の底部まで、線方向の向きを９０度変える。これに対して、比較例のＦＦＣ１４における導線１４ｃの線方向において、固定部２０から突き出す位置Ｍ２から筐体２の底部まで、線方向の向きを１８０度変える。
【００４８】
図４（ａ）の本実施形態のＦＦＣ１４が固定部１３から突き出す位置Ｍ１から筐体２の底部までの距離Ｈ１は、図４（ｂ）の比較例のＦＦＣ１４が固定部２０から突き出す位置Ｍ２から筐体２の底部までの距離Ｈ１と同じ距離であるとする。
【００４９】
従って、図４（ａ）の本実施形態のＦＦＣ１４の湾曲部Ｗ１の湾曲形状における曲率半径Ｒ１は、図４（ｂ）の比較例のＦＦＣ１４の湾曲部Ｗ２の湾曲形状における曲率半径Ｒ２より長い。
【００５０】
そのため、図４（ａ）の本実施形態の湾曲部Ｗ１の副走査方向Ｄ１におけるデータ処理部１５と反対側の端部Ｐ１は、ＦＦＣ１４が固定部１３から突き出す位置Ｍ１の位置にある。
【００５１】
一方、図４（ｂ）の比較例の湾曲部Ｗ２の副走査方向Ｄ１におけるデータ処理部１５と反対側の端部Ｐ２は、ＦＦＣ１４が固定部２０から突き出す位置Ｍ２の位置から距離Ｌの位置にある。
【００５２】
すなわち、本実施形態では、副走査方向Ｄ１において、固定部１３から突き出す位置Ｍ１から、データ処理部１５と反対側の湾曲部Ｗ１の端部Ｐ１までの距離を短くすることができる。
【００５３】
以上、本実施形態で説明した画像読取装置としてのイメージスキャナー１は、透明な原稿台４を支持する箱型の筐体２と、筐体２の内部を原稿台４の盤面と平行に往復移動するキャリッジ９と、キャリッジ９に搭載され、原稿台４に載置された原稿Ｓからの反射光を出力信号に変換するイメージセンサー７と出力信号を伝達するための配線コード導出部としてのコネクター１１とを有する画像読取部６と、筐体２に固定され、画像読取部６からの出力信号を画像データに変換処理するデータ処理部１５と、信号ケーブルであって、絶縁体１４ｄで被覆された複数の導線１４ｃを有し、一端が画像読取部６のコネクター１１と電気的に接続され、他端がデータ処理部１５と電気的に接続され、筐体２の内部で副走査方向Ｄ１すなわちキャリッジ９の移動方向Ｄ１において湾曲した湾曲部Ｗ１を有し、キャリッジ９の往復移動に伴って、湾曲部Ｗ１の湾曲形状が変化するＦＦＣ１４と、キャリッジ９に設けられ、ＦＦＣ１４の画像読取部６側をキャリッジ９に固定する固定部１３と、を備え、ＦＦＣ１４が固定部１３から突き出す位置Ｍ１における導線１４ｃの線方向が、キャリッジ９の移動方向Ｄ１と交わる方向である鉛直方向Ｄ３となるように、固定部１３によってＦＦＣ１４を固定する。
【００５４】
この構成によれば、キャリッジ９の移動範囲において、キャリッジ９がデータ処理部１５から最も遠い位置にあるとき、ＦＦＣ１４の湾曲部Ｗ１における曲率半径Ｒ１を長くすることができる。これにより、キャリッジ９の移動方向Ｄ１における湾曲部Ｗ１において、固定部１３からデータ処理部１５と反対側に伸びる長さを短くすることができる。従って、筐体２の内部に、ＦＦＣ１４の湾曲部Ｗ１を収容するための空間領域におけるキャリッジ９の移動方向Ｄ１の長さを小さくすることができる。そのため、イメージスキャナー１のキャリッジ９の移動方向Ｄ１の外形寸法を小さくできる。
【００５５】
（第２実施形態）
第２実施形態では、鉛直方向Ｄ３において、固定部をコネクター１１より原稿台４側に備えたイメージスキャナーについて説明する。図６（ａ）は、キャリッジ９ａに設けられた固定部１３ａの外観斜視図である。キャリッジ９ａには、水平面６１ａを有する当接部６１、当接部６１と副走査方向Ｄ１における隙間Ｂ３が設けられた押さえ部６０ａ，６０ｂが備えられる。
【００５６】
キャリッジ９ａには、開口部６２が形成され、開口部６２は、キャリッジ９ａの鉛直方向Ｄ３における下側に貫通する貫通孔（不図示）と直結している。
【００５７】
本実施形態における固定部１３ａは、当接部６１、水平面６１ａ、押さえ部６０ａ，６０ｂ、開口部６２を含んで構成される。
【００５８】
図６（ｂ）は、固定部１３ａによって固定されたＦＦＣ１４を示す外観斜視図である。ＦＦＣ１４の一部は、当接部６１と押さえ部６０ａ，６０ｂとの隙間Ｂ３に挟まれるようにして固定される。
【００５９】
水平面６１ａに当接したＦＦＣ１４は、キャリッジ９ａに形成された開口部６２内に水平方向に挿入され、開口部６２内で鉛直方向Ｄ３側に折れ曲がり、開口部６２と直結する貫通孔を鉛直方向Ｄ３に通過し、キャリッジ９ａの鉛直方向Ｄ３における下側を回りこむようにして備えられ、キャリッジ９ａの当接部６１とは反対側に備えられたコネクター１１に接続される。
【００６０】
本実施形態の水平面６１ａ、開口部６２、押さえ部６０ａ，６０ｂは、鉛直方向Ｄ３において、コネクター１１より原稿台４側に備えられている。
【００６１】
矢印Ｍ３は、固定部１３ａからＦＦＣ１４が鉛直方向Ｄ３に突き出す位置を示す。このＦＦＣ１４が固定部１３ａから突き出す位置Ｍ３においては、ＦＦＣ１４を構成する導線１４ｃ（図２参照）の線方向は鉛直方向Ｄ３である。
【００６２】
図７は、本実施形態におけるＦＦＣ１４の湾曲部Ｗ３の湾曲形状と、第１実施形態におけるＦＦＣ１４の湾曲部Ｗ１の湾曲形状とを比較して説明するための図である。本実施形態の固定部１３ａによってＦＦＣ１４が鉛直方向Ｄ３に突き出す位置Ｍ３は、筐体２の底部からの距離Ｈ２の位置にある。第１実施形態の固定部１３によってＦＦＣ１４が鉛直方向Ｄ３に突き出す位置Ｍ１は、筐体２の底部からの距離Ｈ１の位置にある。
【００６３】
距離Ｈ２は、距離Ｈ１より長い。そのため、本実施形態のＦＦＣ１４の湾曲部Ｗ３における曲率半径Ｒ３の長さは、第１実施形態のＦＦＣ１４の湾曲部Ｗ１における曲率半径Ｒ１の長さより長い。本実施形態のイメージスキャナーのその他の構成は、第１実施形態で説明したイメージスキャナー１の構成と同じである。
【００６４】
以上、本実施形態で説明したイメージスキャナーでは、固定部１３ａによってＦＦＣ１４の導線１４ｃの線方向が鉛直方向Ｄ３に突き出すようにして固定される位置Ｍ３は、鉛直方向Ｄ３において、配線コード導出部としてのコネクター１１の位置より原稿台４側にある。
【００６５】
この構成によれば、ＦＦＣ１４の湾曲部Ｗ３における曲率半径Ｒ３をさらに長くすることができる。そのため、筐体２の内部に、ＦＦＣ１４の湾曲部Ｗ３を確保するための空間領域の副走査方向Ｄ１の長さを小さくすることができる。そのため、イメージスキャナーの副走査方向Ｄ１の外形寸法を小さくできる。
【００６６】
（第３実施形態）
第１実施形態、第２実施形態では、鉛直方向Ｄ３の鉛直面において、ＦＦＣ１４が副走査方向Ｄ１に湾曲する構成のイメージスキャナーであったが、主走査方向Ｄ２の水平面において、ＦＦＣ１４が副走査方向Ｄ１に湾曲する構成のイメージスキャナーにも適用する。
【００６７】
図８（ａ）は、主走査方向Ｄ２の水平面において、ＦＦＣ１４が副走査方向Ｄ１に湾曲する構成を備えたイメージスキャナー１ｂの外観斜視図である。図８（ａ）は、原稿カバーと原稿を取り除いた状態である。
【００６８】
筐体２に支持された原稿台４の鉛直方向Ｄ３における筐体２の内部には、画像読取部（不図示）を搭載したキャリッジ９ｂ、キャリッジ９ｂを副走査方向Ｄ１に移動可能に支持するガイド部１０などが備えられる。ＦＦＣ１４は、主走査方向Ｄ２の水平面において、ＦＦＣ１４が副走査方向Ｄ１に湾曲して備えられる。
【００６９】
図８（ｂ）は、ＦＦＣ１４が固定部１３ｂから水平方向Ｄ２に突き出していることを示す模式図である。図８（ｂ）は、副走査方向Ｄ１から見た図で、固定部１３ｂに固定されたＦＦＣ１４を示す図である。ＦＦＣ１４が固定部１３ｂから突き出す位置から延びる方向が水平方向Ｄ２に突き出すようにして固定される。
【００７０】
このようなイメージスキャナー１ｂは、鉛直方向Ｄ３の外形寸法を小さくすることができる。そして、ＦＦＣ１４を固定部１３ｂから突き出す位置から延びる方向が水平方向Ｄ２に突き出すようにして固定することにより、ＦＦＣ１４の一部が巻き込まれるようにして折れ曲がって形成された部分が、キャリッジ９ｂとキャリッジ９ｂの水平方向Ｄ２側の筐体２とに挟まれてしまうことを抑制できる。
【００７１】
以上、画像読取装置としてのイメージスキャナーについて説明したが、画像読取機能と画像形成機能とを備えた複合機においても、適用する。図９は、画像読取機能と画像形成機能とを備えた複合機の概略構成を示す模式図である。
【００７２】
複合機２００は、画像読取装置としてのイメージスキャナー１ａと画像形成装置としてのプリンター１００とから構成される。イメージスキャナー１ａは原稿Ｓに描かれた画像を読み取る機能を有し、プリンター１００は記録媒体としての用紙Ｍに画像を形成する機能を有する。
【００７３】
イメージスキャナー１ａの筐体２ａにおける開口部３には、透明な原稿台４が備えられ、開口部３を原稿カバー５によって覆う状態と開放する状態にすることができる。
【００７４】
イメージスキャナー１ａの筐体２ａ内には、ガイド部１０に沿って往復移動する画像読取部６、画像読取部６から出力された出力信号を画像データに変換するデータ処理部１５、画像読取部６とデータ処理部１５とを電気的に接続するＦＦＣ１４が備えられる。
【００７５】
画像読取部６には、光学ユニット８、イメージセンサー７、ＦＦＣ１４の露出部１４ａ（図２参照）と接続するコネクター１１が備えられる。キャリッジ９には、ＦＦＣ１４を固定するための固定部１３が備えられる。データ処理部１５には、ＦＦＣ１４の露出部１４ｂと接続するコネクター１６が備えられる。
【００７６】
イメージスキャナー１ａを構成する画像読取部６、データ処理部１５、ＦＦＣ１４、固定部１３などは、第１実施形態で説明したイメージスキャナー１の構成と同じである。
【００７７】
イメージスキャナー１ａの鉛直方向Ｄ３における図面下側には、プリンター１００が備えられる。プリンター１００の筐体１０１内には、プリンター用キャリッジモーター（不図示）、回転ベルト（不図示）、プリンター用キャリッジモーター駆動回路（不図示）などから構成されるキャリッジ駆動部が備えられる。キャリッジ駆動部は、プリンターキャリッジ１０４をガイド部１０６に沿って移動させる。
【００７８】
プリンターキャリッジ１０４には、カラーインクを充填したインクカートリッジ１０３、モノクロインクを充填したインクカートリッジ１０２が着脱可能に搭載される。プリンターキャリッジ１０４には、インクを噴射する液体噴射ヘッド１０５が備えられる。
【００７９】
プリンター１００の筐体１０１内には、搬送用モーター（不図示）、歯車列（不図示）、搬送用ローラー（不図示）などから構成される用紙搬送部が備えられる。用紙搬送部は、用紙Ｍをプリンターキャリッジ１０４の移動方向と交わる方向に搬送させる。
【００８０】
プリンター１００は、イメージスキャナー１ａのデータ処理部１５から出力された画像データや複合機２００の外部に接続されたコンピューター（不図示）から入力された画像データを用いて、搬送される用紙Ｍに液体噴射ヘッド１０５からインクを噴射させて画像を形成する。
【００８１】
このような複合機２００において、第１実施形態で説明した固定部１３、第２実施形態で説明した固定部１３ａを備えることにより、イメージスキャナー１ａ内におけるＦＦＣ１４の一部を巻き込むことを抑制することができる。
【符号の説明】
【００８２】
１，１ａ…イメージスキャナー、２，２ａ…イメージスキャナーの筐体、４…原稿台、６…画像読取部、７…イメージセンサー、９，９ａ…キャリッジ、１１…コネクター、１３，１３ａ…固定部、１４…フレキシブルフラットケーブル（ＦＦＣ）、１４ｃ…導線、１４ｄ…絶縁体、１５…データ処理部、５１，６１…当接部、５１ａ，６１ａ…水平面、５２，６２…開口部、５０ａ，５０ｂ，６０ａ，６０ｂ…押さえ部、１００…プリンター、２００…複合機、Ｄ１…キャリッジの移動方向（副走査方向）、Ｄ２…キャリッジの移動方向と交わる方向（主走査方向）、Ｄ３…鉛直方向、Ｍ１，Ｍ３…フレキシブルフラットケーブルが固定部から突き出す位置、Ｓ…原稿。
【図１】
2012088471.tif 000003
【図２】
2012088471.tif 000004
【図３】
2012088471.tif 000005
【図４】
2012088471.tif 000006
【図５】
2012088471.tif 000007
【図６】
2012088471.tif 000008
【図７】
2012088471.tif 000009
【図８】
2012088471.tif 000010
【図９】
2012088471.tif 000011